(57)【要約】【課題】  容易に芯出しを行うことができ、芯ずれを起こさない、舗装面の円形切断用治具を提供する。【解決手段】  地下構造物用鉄蓋の周囲の舗装面を円形に切断する作業のための治具について、地下構造物用鉄蓋の蓋体１１と同形同大かつ蓋体１１と置換可能な形態を持つ治具本体１５を具備し、鉄蓋周囲に描く円の中心となる位置の治具本体１５に、凹部又は凸部から成る第１係合部１７を設け、或いは、鉄蓋が親子蓋である場合には、子蓋と同形同大かつ置換可能な形態を持つ治具本体１５を具備し、親蓋の中心となる位置の治具本体１５に凹部又は凸部から成る第２係合部２７を設ける。【選択図】          図１
2005248630.tif 000002
【特許請求の範囲】
【請求項１】
地下構造物用鉄蓋の周囲の舗装面を円形に切断する作業のための治具であって、地下構造物用鉄蓋の蓋体と同形同大かつ蓋体と置換可能な形態を持つ治具本体を具備し、地下構造物用鉄蓋の周囲に描く円の中心となる位置の治具本体に、凹部又は凸部から成る第１係合部を設け、或いは、地下構造物用鉄蓋が親子蓋である場合には子蓋と同形同大かつ置換可能な形態を持つ治具本体を具備し、親蓋の中心となる位置の治具本体に凹部又は凸部から成る第２係合部を設けたことを特徴とする舗装面の円形切断用治具。
【請求項２】
治具本体は、単一の蓋体を有する地下構造物用鉄蓋と、親子蓋を有する地下構造物用鉄蓋に兼用可能であり、単一の蓋体を有する地下構造物用鉄蓋のための第１係合部と、親子蓋を有する地下構造物用鉄蓋のための第２係合部を併有していることを特徴とする請求項１記載の舗装面の円形切断用治具。
【請求項３】
治具本体は、カッター等の作業機械の取り付けに使用される掛け止め部を有している請求項１又は２記載の舗装面の円形切断用治具。
【発明の詳細な説明】
【技術分野】
【０００１】
本発明は、地下構造物用鉄蓋の周囲の舗装面を円形に切断する作業のための治具に関するものである。
【背景技術】
【０００２】
アスファルトやコンクリート等で舗装された路面を円形に切削する装置として、丸穴カッター、丸穴切断カッターなどと称されるものがあり、地下構造物用鉄蓋の周囲の舗装面を剥がす目的などで使用されている。この種のカッターにより舗装面を円形に切削ないし切断するためには、コンパスと同様に軸となるピン等を路面に打ち込む必要があり、この種の先行技術には特開２００２−３０６０８号、同２００１−２９５２１６号、特開平７−２７９１１８号、等の発明がある。これらの発明では、中心となる位置にピンを打ち込むときに、舗装面が硬いと作業が容易でないとか、マンホール周囲の舗装面に適用する場合、鉄蓋にピンを打ち込めないのでそのまま適用できないという問題がある。
【０００３】
一方、実開昭６２-１５９５０９号では障害物を囲繞するリング状の走行路を設けて、そこを走行し得る車輪付きアームにブレードを取り付けた、円形切断装置を開示してお
り、これをマンホール鉄蓋に適用すればピンを鉄蓋に打ち込むことは必要とされない。しかしながらリング状の走行路をマンホールの周囲に設置することはそれほど簡単ではな
く、特に芯出しは困難である。芯出しがなされないまま施工した場合には、同心円でない非円形切断部となり、外見上違和感を生じさせるとともに、再充填する舗装材の量が方向によって不均等となり、仕上がり品質にも悪影響を及ぼす。
【０００４】
また或る場合には、鉄蓋上にピンを打ち込む代わりに、別途製作した芯出し治具を鉄蓋に粘着テープにより固定することが行なわれた。しかしこの場合には、芯出し治具を固定する力がどうしても不十分となり、芯ずれを起こし易く、作業中に芯ずれを起こしたときには、切断開始位置と終了位置が合わなくなり、円形切断を達成できないという問題を生ずることとなっていた。
【０００５】
【特許文献１】特開２００２−３０６０８号
【特許文献２】特開２００１−２９５２１６号
【特許文献３】特開平７−２７９１１８号
【特許文献４】実開昭６２-１５９５０９号
【発明の開示】
【発明が解決しようとする課題】
【０００６】
本発明は前記の点に着目してなされたもので、その課題は、容易に芯出しを行うことができ、かつ芯ずれを起こさない、舗装面の円形切断用治具を提供することである。また本発明の他の課題は、複数種の地下構造物用鉄蓋に適用することができる円形切断用治具を提供することである。
【課題を解決するための手段】
【０００７】
前記の課題を解決するため、本発明は、地下構造物用鉄蓋の周囲の舗装面を円形に切断するための治具について、地下構造物用鉄蓋の蓋体と同形同大かつ蓋体と置換可能な形態を持つ治具本体を具備し、地下構造物用鉄蓋の周囲に描く円の中心となる位置の治具本体に、凹部又は凸部から成る第１係合部を設け、或いは、地下構造物用鉄蓋が親子蓋である場合には子蓋と同形同大かつ置換可能な形態を持つ治具本体を具備し、親蓋の中心となる位置の治具本体に凹部又は凸部から成る第２係合部を設けるという手段を講じたものである。
【０００８】
本発明において地下構造物用鉄蓋とは、地下構造物への接近ないし出入りのための手段としての装置のことであり、いわゆるマンホールやハンドホールに代表されるもので、装置構造として蓋体とその受枠を含む。本発明は、このような地下構造物用鉄蓋に対して、舗装面を円形に切断するための治具を対象としており、円形の切断のために円運動の中心を提供する。
【０００９】
本発明の円形切断用治具は、地下構造物用鉄蓋の蓋体と同形同大の治具本体を有する。従って、治具本体は、鉄蓋の蓋体と置換可能であるから、受枠から取り外した蓋体の代わりに、受枠に嵌め合わせることができる。治具本体は、受枠に嵌め合わせた状態で安定
し、カッター等の作業機械を取り付けて円運動を行なっている間受枠から外れたりすることのないものでなければならない。
【００１０】
このような治具本体は、蓋体と同形同大の形態を有するだけでなく、同等の構造を有していることが望ましい。地下構造物用鉄蓋は日本工業規格（例えばＪＩＳ  Ａ  ５５０６等）にその規格が定められているが、その規格の範囲内で、各社が様々な特徴のある製品を生産しているので、例えば同一口径であってもＡ社用鉄蓋とＢ社用、Ｃ社用の鉄蓋が相互に完全な互換性を有するとは限らない。しかしながら、蓋体を受枠に嵌め合わせるという基本的構造についての種類は限られており、従って何種類かの代表的な構造形態を有する蓋体に適合した何種類かの治具本体を用意しておくことにより、少なくとも日本国内のマンホール等に対しては本発明の治具で対応することができる。
【００１１】
この地下構造物用鉄蓋の周囲に描くべき円の中心に相当する治具本体上の位置には、凹部又は凸部から成る第１係合部を設ける。地下構造物用鉄蓋が単一の蓋体と受枠から成るものである場合、第１係合部の位置は、受枠に嵌め合わせた状態において、受枠の中心と一致することになる。この一致ということにより、地下構造物用鉄蓋に対して芯出しされた、同心円から成る円形切断が可能となる。第１係合部は、カッター等の作業機械の中心軸を取り付ける部分であり、そのため凹部又は凸部の形態を取る。凹部は凹み又は貫通孔を含み、凸部は出っ張り又は凹部の貫通孔に通したボルト等の軸を含む。
【００１２】
本発明はいわゆる親子式の地下構造物用鉄蓋にも適用することができる。この形式の鉄蓋は、大口径の親蓋に例えば標準口径の子蓋を設けた構造を有し、通常時親蓋は受枠にボルト止めされ、子蓋を開閉する。そこで、親蓋が９００φ、子蓋が６００φの場合には、親蓋の中心が子蓋上に位置することになるので、このような場合には子蓋と同形同大の治具本体を用意し、親蓋の中心に一致する位置の治具本体に、第１係合部と同様の第２係合部を設ける。従って第１係合部は治具本体の中心にあるのに対して、第２係合部は偏心位置に来ることになる。
【００１３】
このため、1個の治具本体に、第１係合部と第２係合部を併せて設けることも可能となる。つまり、治具本体は、単一の蓋体を有する地下構造物用鉄蓋と、親子蓋を有する地下構造物用鉄蓋と、親子蓋を有する地下構造物用鉄蓋に兼用可能であり、単一の蓋体を有する地下構造物用鉄蓋のための第１係合部と、親子蓋を有する地下構造物用鉄蓋のための第２係合部を併有していても良い。
【００１４】
このようにして治具本体は地下構造物用鉄蓋の受枠に嵌合し、或いは親子蓋の子蓋受け口に嵌合して据え付けられ、丸穴カッターのような作業機械により、舗装面を円形切断する治具として機能する。そこで、治具本体には治具本体の取り付けに使用する掛け止め部を設けることができる。掛け止め部としては、例えばテーパ嵌合解除のために治具本体の周縁に等間隔で３箇所設けるほぼＵ字状のこじり穴や、手かぎなどの工具の挿入口、ロック装置の解除のための鍵穴に相当するものなどが該当する。掛け止め部についても各社の蓋体固有の構造形態を適用することができるが、それが特許権等の対象になっていることも考えられるので、適用に慎重を期すべきである。
【発明の効果】
【００１５】
本発明は以上の如く構成されかつ作用するものであるから、治具本体を受枠に嵌め合わせ、或いは親蓋の子蓋受け口に嵌め合わせることによって、その地下構造物用鉄蓋の中心を出すことができ、作業装置により正確な円形切断工事を施工することが可能となり、かつまた複数種の地下構造物用鉄蓋に適用することができる等顕著な効果を奏する。
【発明を実施するための最良の形態】
【００１６】
以下図示の実施形態を参照して本発明を詳細に説明する。図１は、単一の蓋体１１を有する地下構造物用鉄蓋に関する例１であり、蓋体１１を受枠１３に嵌め合わせると、蓋体１１はその周面１２によって受枠１３の内周面１４にテーパー嵌合する構造形態を有す
る。しかし、この構造形態は１つの例示であり、本発明に必須のものではなく、単なる置き蓋式のものやその他各種の構造形態を取り得ることは既に説明したとおりである。
【００１７】
治具本体１５は、蓋体１１と同形同大かつ同種の構造形態を有する。１６は本体周面であり、受枠１３の内周面１４にテーパー嵌合するが、このように蓋体１１と同一か或いは同一性が高いほど、受枠１３に嵌め合わせたときに、治具本体１５の安定性を高めることができる。治具本体１５の材質は蓋体１１と同じでも同じでなくても良く、例えばアルミ合金やプラスチック或いは木材を使用することにより軽量なものとなる。例１の治具本体１５は、円形鉄蓋に対応するものであるから、円の中心に第１係合部１７を設けている。例示の第１係合部１７は円板状のものの表裏を貫通する孔として示されている。
【００１８】
これに対して、図３に示されている親子蓋構造を有する地下構造物用鉄蓋の場合、治具本体２５は、子蓋と同形同大かつ置換可能な形態を持つ。図３中、２１は親蓋、２３は受枠、２４は子蓋受け口、２６は親蓋周面を夫々示す。例２の治具本体２５は、親蓋２１の子蓋受け口２４に対して一定の位置関係を保持して嵌め合わされるものであり、その正しい嵌め合わせ状態において、親蓋２１の中心となる位置の治具本体２５に第２係合部２７を設けている。
【００１９】
例１、例２の治具本体１５、２５は、単一の蓋体１１を有する地下構造物用鉄蓋の蓋体１１と、親子蓋構造の地下構造物用鉄蓋の子蓋に兼用可能なものとして示されており、従って第１係合部１７と第２係合部２７を同一板面上に有している。なお、いうまでもないことであるが、第１係合部１７は円形の治具本体１５、２５の中心に位置し、第２係合部２７は同じ治具本体１５、２５の中心からずれた偏心位置にある。
【００２０】
また例１、例２の治具本体１５、２５には、周縁に等間隔で３箇所設けたＵ字状の凹入部１８、２８、工具の挿入口１９、２９、ロック装置のための鍵穴などが設けられてい
る。この内、Ｕ字状の凹入部１８、２８は治具本体１５、２５のテーパー嵌合解除のために使用される。図４は作業の例示であり、受枠１３から蓋体１１を取り外して治具本体１５に交換し、軸ピン３１を第１係合部１７に差し込む。このようにして取り付けられた作業機械３０は第１係合部１７を回転中心として、円運動を行なう。符号３３はその円形切断の予定線、３４は切断線を示す。かくして、本発明の工事用治具に取り付けられた軸ピン３１を中心として作業機械３０のカッター刃３５による円形切断作業が行なわれ、切断線３４は正確に始めと終わりが一致するものとなる。以上は単一の蓋体１１を有するものについての例示であるが、親子蓋構造を有する場合も、軸ピン３１を第２係合部２７に差し込む以外は上記と同様の手順で作業を進めれば、円形切断予定線に沿う円形切断を正確に行なうことができる。なお、軸ピン３１は作業機械３０に取り付けても良いし（図５）、また治具本体１５、２５に取り付けても良い（図４）。
【図面の簡単な説明】
【００２１】
【図１】本発明に係る舗装面の円形切断用治具の例１を示す斜視図。
【図２】同上のものによる切断円を説明するための平面図。
【図３】本発明の例２を説明するための平面図。
【図４】本発明による舗装面の円形切断工事を示す斜視図。
【図５】同上の断面図。
【符号の説明】
【００２２】
１１  蓋体
１３、２３  受枠
１５、２５  治具本体
１７  第１係合部
１８、２８  掛け止め部としての凹入部
２１  親蓋
２４  子蓋受け口
２７  第２係合部
３０  作業機械
３１  軸ピン
３３  円形切断予定線
３４  円形切断線
３５  カッター刃
【図１】
2005248630.tif 000003
【図２】
2005248630.tif 000004
【図３】
2005248630.tif 000005
【図４】
2005248630.tif 000006
【図５】
2005248630.tif 000007